(57)【要約】【課題】印刷された紙を見るだけで、変更されていないものなのか、モノクロ印刷設定により印刷されたものなのかを区別できるようにする。【解決手段】文書情報中の変更された文字情報と変更されていない文字情報とを特定し、変更された文字情報については黒以外の第一の色で印刷画像情報を生成し、変更されていない文字情報については黒以外かつ第一の色以外の第二の色で印刷画像情報を生成するようにしているので、印刷された文字情報が黒である場合には、プリンターがモノクロ印刷設定であることが容易に把握でき、印刷された文字情報が第二の色のみである場合には、プリンターがカラー印刷設定であり、変更された文字情報が存在しないことが容易に把握できる。また、印刷された文字情報が第一の色および第二の色である場合には、プリンターがカラー印刷設定であり、変更された文字情報が存在していることが容易に把握できる。【選択図】図２
2014191519.tif 000002
【特許請求の範囲】
【請求項１】
文字情報を直接または外部から入力する入力部と、前記入力部にて入力された前記文字情報により構成される文書情報を記憶する記憶部と、前記記憶部から前記文書情報を読み出し、この文書情報中の文字情報を前記入力部にて変更し、変更された文書情報を前記記憶部に記憶させる変更処理部と、前記記憶部に記憶された文書情報の印刷を指示する印刷指示部と、前記印刷指示部により印刷が指示された文書情報を前記記憶部から抽出し、前記変更処理部にて変更された文字情報については黒以外の第一の色で印刷画像を生成し、前記変更処理部にて変更されていない文字情報については黒以外かつ第一の色以外の第二の色で印刷画像を生成する印刷画像生成部とを備えたことを特徴とする印刷画像生成装置。
【発明の詳細な説明】
【技術分野】
【０００１】
本発明は、文書情報を印刷する際に用いられる印刷画像を生成する印刷画像生成装置に関する。
【背景技術】
【０００２】
病院などでは、入院している患者の氏名などの患者情報をパーソナル・コンピューターの表示画面に表示することが行われている。ここで、患者が入退院したり、患者の予定が変わったりした場合に、患者情報を変更する必要がある。また、看護師や医師などの病院のスタッフは、患者情報が更新されているか否かを常に確認する必要がある。
【０００３】
ところで、日本語ワードプロセッサのような情報処理装置において、文書情報の変更が行われた場合に、変更された箇所の色を変更する技術が知られている（例えば、特許文献１を参照）。この特許文献１に記載の技術を上述した従来技術に適用すると、患者情報が変更された場合に、変更された箇所の色を変更することで、スタッフが変更された患者情報を容易に把握することができる。
【０００４】
しかしながら、病院のスタッフの人数が多い場合には、パーソナル・コンピューターの表示画面を大きくしたり、パーソナル・コンピューターを複数用意したりしないと、スタッフが患者情報を確認することができなくなってしまうという問題があった。
【０００５】
このような問題を解決するために、表示画面に表示されている患者情報を印刷して、印刷した紙をスタッフに配布することが考えられる。スタッフは、紙に印刷された画像の色が変更された箇所を探すことで、変更された患者情報を把握することができる。
【先行技術文献】
【特許文献】
【０００６】
【特許文献１】特開平９−１０１９５７号公報
【発明の概要】
【発明が解決しようとする課題】
【０００７】
しかしながら、上述した従来技術では、変更された患者情報を強調するために色を用いているので、プリンターの印刷設定をカラー印刷設定にして印刷を行わないと変更された箇所の色と変更されていない箇所の色とが略同色となってしまい、スタッフが、印刷された紙の画像が変更された箇所の存在しないものなのか、モノクロ印刷設定により印刷されたものなのかを区別することができなくなってしまうという問題があった。
【０００８】
本発明は、このような問題を解決するために成されたものであり、印刷された紙を見るだけで、変更された箇所の存在していないものなのか、モノクロ印刷設定により印刷されたものなのかを明確に区別できるようにすることを目的とする。
【課題を解決するための手段】
【０００９】
上記した課題を解決するために、本発明では、文書情報を印刷する場合に、文書情報のうち、変更された文字情報と変更されていない文字情報とを識別可能とし、変更された文字情報については黒以外の第一の色で印刷画像を生成し、変更されていない文字情報については黒以外かつ第一の色以外の第二の色で印刷画像を生成するようにしている。
【発明の効果】
【００１０】
上記のように構成した本発明によれば、印刷された紙の文字情報が黒で印刷されている場合には、プリンターの印刷設定がモノクロ印刷設定であることが容易に把握できる。また、印刷された紙の文字情報が第二の色のみで印刷されている場合には、プリンターの印刷設定がカラー印刷設定であり、かつ、変更された文字情報が存在しないことが容易に把握できる。また、印刷された紙の文字情報が第一の色および第二の色で印刷されている場合には、プリンターの印刷設定がカラー印刷設定であり、かつ、変更された文字情報が存在していることが容易に把握できる。従って、印刷された紙の文字情報を見るだけで、変更された箇所の存在していないものなのか、モノクロ印刷設定により印刷されたものなのかを明確に区別することができる。
【図面の簡単な説明】
【００１１】
【図１】本実施形態による印刷画像生成装置の構成例を示すブロック図である。
【図２】本実施形態による印刷画像生成装置の印刷例を示す図である。
【発明を実施するための形態】
【００１２】
以下、本発明の一実施形態を図面に基づいて説明する。図１は、本実施形態による印刷画像生成装置１の構成例を示すブロック図である。図１において、印刷画像生成装置１はパーソナル・コンピューターなどにより構成されており、プリンター（図示せず）を接続することで、印刷を実行することが可能となる。ここで、印刷画像生成装置１は、制御部２、入力部３、記憶部４、変更処理部５、印刷指示部６、印刷画像生成部７、インターフェース８を備えて構成されている。
【００１３】
制御部２は、印刷画像生成装置１の各構成要素を後述するように制御するためのものであり、ＣＰＵ（Central Processing Unit）などにより構成されている。また、制御部２は、変更処理部５、印刷画像生成部７を備えて構成されている。
【００１４】
入力部３は、キーボードやマウスなどにより構成されており、文字情報を直接入力するためのものである。なお、本実施形態では、入力部３が文字情報を直接入力するキーボードやマウスなどにより構成されているが、これに限定されない。例えば、入力部３が外部の情報機器から文字情報を入力するようにしても良い。
【００１５】
記憶部４は、メモリやハードディスク装置などにより構成されており、入力部３により入力された文字情報によって構成される文書情報を記憶する。ここで、記憶部４によって記憶される文書情報は、文書名などを付すことで、他の文書と識別可能に記憶されている。
【００１６】
このように記憶部４に文書情報が記憶されている状態で、印刷画像生成装置１のユーザーは、所望の文書情報を読み出すことが可能となる。また、ユーザーは、入力部３を用いて、読み出された文書情報に対して、文字情報の変更を実施することができる。なお、入力部３が外部の情報機器から文字情報を入力する場合には、記憶部３に記憶されている文字情報は自動的に変更される。
【００１７】
変更処理部５は、ユーザーが記憶部から所望の文書情報を読み出し、この文書情報中の文字情報を入力部３にて変更した場合に、変更された文書情報を記憶部３に記憶させる。このとき、変更前の文書情報に変更された文書情報を上書きするようにしても良いし、別途記憶させるようにしても良い。
【００１８】
印刷指示部６は、記憶部３に記憶されている文書情報の中から所望の文書情報を選択して印刷の指示を行うためのものである。なお、本実施形態による印刷指示部６を入力部３と兼用させるようにしても良い。
【００１９】
印刷画像生成部７は、印刷指示部６にて印刷が指示された文書情報を記憶部３から抽出し、その文書情報中の変更処理部５にて変更された文字情報については、黒以外の第一の色（例えば、赤色など）とした印刷画像情報を生成し、変更処理部５にて変更されていない文字情報については、黒以外、かつ、第一の色以外の第二の色（例えば青色）とした印刷画像情報を生成する。そして、制御部２は、印刷画像生成部７にて生成された印刷画像情報をインターフェース８へ出力する。
【００２０】
インターフェース８は、印刷画像生成装置１とプリンターとを接続して通信を行うためのものである。インターフェース８は、制御部２から印刷画像情報を入力するとその印刷画像情報をプリンターへ出力する。
【００２１】
図２は、本実施形態による印刷画像生成装置１に接続されたプリンターの印刷例を示す図である。例えば、「あいうえお  かきくけこ」という文字情報により構成された文書情報について印刷指示部６が印刷を指示した場合、プリンターの設定がモノクロ印刷設定となっていると、全ての文字が黒で印刷される（図２（ａ）を参照）。
【００２２】
また、入力部３により、「あいうえお  かきくけこ」という文書情報の中の「あいうえお」が「さしすせそ」に変更され、「さしすせそ  かきくけこ」という文字情報により厚生された文書情報について印刷指示部６が印刷を指示した場合、プリンターの設定がモノクロ印刷設定となっていると、同様に全ての文字が黒で印刷される（図２（ｂ）を参照）。
【００２３】
また、入力部３により、「あいうえお  かきくけこ」という文書情報の中の「あいうえお」が「さしすせそ」に変更され、「さしすせそ  かきくけこ」という文字情報により厚生された文書情報について印刷指示部６が印刷を指示した場合、プリンターの設定がカラー印刷設定となっていると、「さしすせそ」の文字情報が変更されているため第一の色で印刷され、「かきくけこ」の文字情報が変更されていないため第二の色で印刷される（図２（ｃ）を参照）。
【００２４】
また、「あいうえお  かきくけこ」という文字情報により構成された文書情報について、文字情報が変更されないまま印刷指示部６が印刷を指示した場合、プリンターの設定がカラー印刷設定となっていると、全ての文字が第二の色で印刷される（図２（ｄ）を参照）。
【００２５】
図２（ａ）、図２（ｂ）に示す例のように、印刷された文書情報の文字情報の全てが黒である場合、ユーザーは、文字情報が変更されているか否かにかかわらず、プリンターの設定がモノクロ印刷設定になっていることを容易に理解することができる。
【００２６】
また、図２（ｄ）に示す例のように、印刷された文書情報の全ての文字情報が第二の色である場合、ユーザーは、文書情報中の文字情報が変更されていないことを容易に理解することができる。
【００２７】
また、図２（ｃ）に示す例のように、印刷された文書情報が第一の色で印刷された文字情報と第二の色で印刷された文字情報とで構成されている場合、ユーザーは、文書情報中の第一の色で印刷された文字情報が変更されていることを容易に理解することができる。ここで、第一の色が変更された文字情報を示し、第二の色が変更されていない文字情報を示すことは、事前にユーザーが把握している必要がある。
【００２８】
以上詳しく説明したように、本実施形態では、印刷指示部６により所望の文書情報の印刷を指示した場合に、指示された文書情報中の文字情報について、変更された文字情報と変更されていない文字情報とを特定し、印刷画像生成部７は、変更された文字情報については黒以外の第一の色で印刷画像情報を生成し、変更されていない文字情報については黒以外、かつ、第一の色以外の第二の色で印刷画像情報を生成するようにしている。
【００２９】
これにより、印刷された紙の文字情報が黒で印刷されている場合には、プリンターの印刷設定がモノクロ印刷設定であることが容易に把握できる。また、印刷された紙の文字情報が第二の色のみで印刷されている場合には、プリンターの印刷設定がカラー印刷設定であり、かつ、変更された文字情報が存在しないことが容易に把握できる。また、印刷された紙の文字情報が第一の色および第二の色で印刷されている場合には、プリンターの印刷設定がカラー印刷設定であり、かつ、変更された文字情報が存在していることが容易に把握できる。従って、印刷された紙の文字情報を見るだけで、変更された箇所の存在していないものなのか、モノクロ印刷設定により印刷されたものなのかを明確に区別することができる。
【００３０】
なお、前述した実施形態では、第一の色を赤色とし、第二の色を青色としているが、これに限定されない。例えば、第一の色を青色とし、第二の色を赤色としても良い。また、第一の色および第二の色はこれらの色に限定されず、両者が識別可能であれば、第一の色および第二の色は、黄色や緑色、紫色などの様々な色であっても良いことはもちろんである。
【００３１】
その他、上記実施形態は、何れも本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【符号の説明】
【００３２】
１    印刷画像生成装置
２    制御部
３    入力部
４    記憶部
５    変更処理部
６    印刷指示部
７    印刷画像生成部
８    インターフェース
【図１】
2014191519.tif 000003
【図２】
2014191519.tif 000004